(57)【要約】【課題】  体形が異なる着用者に対して、胴周り部が良好にフィットすると共に着用感に優れ、漏れ防止効果に優れ、さらに製品の見栄えが良く高品質のイメージを付与したパンツ型使い捨ておむつを提供する。【解決手段】  パンツ型使い捨ておむつにおいて、前記胴周り伸縮弾性部材は、おむつの幅方向全長に亙って連続して伸張状態で配置された連続伸縮弾性部材と、おむつの幅方向中央領域に伸縮弾性部材が存在せず、該幅方向中央領域を挟んで対称となる両側縁側の領域に幅方向に伸張状態で配置された不連続伸縮弾性部材とからなり、かつ、互いに隣接する連続伸縮弾性部材の間には少なくとも１本の不連続伸縮弾性部材が配置されていることを特徴とするパンツ型使い捨ておむつ。【選択図】  図１
2008253583.tif 000002
【特許請求の範囲】
【請求項１】
前身頃から股下部を経て後身頃に至る内部領域に吸収体を配置し、前身頃と後身頃の相対する長手方向両側縁部を接合してウエスト周り開口部と一対の脚周り開口部を形成し、ウエスト周り開口部に沿ってウエスト周り伸縮弾性部材を配置し、脚周り開口部に沿って脚周り伸縮弾性部材を配置し、さらに前記ウエスト周り開口部と脚周り開口部の間の胴周り部に、おむつの幅方向に沿って複数本の胴周り伸縮弾性部材を配置したパンツ型使い捨ておむつにおいて、
前記胴周り伸縮弾性部材は、おむつの幅方向にその全域に亙って連続して伸張状態で配置した連続伸縮弾性部材と、おむつの幅方向にその中央領域を除く両側縁側の領域に伸張状態で配置した不連続伸縮弾性部材とからなり、かつ、互いに隣接する連続伸縮弾性部材の間には少なくとも１本の前記不連続伸縮弾性部材を配置していることを特徴とするパンツ型使い捨ておむつ。
【請求項２】
前記不連続伸縮弾性部材が前記吸収体と重ならないように配置されていることを特徴とする請求項１に記載のパンツ型使い捨ておむつ。
【請求項３】
前記胴周り伸縮弾性部材が３〜２０ｍｍの間隔で配置されていることを特徴とする請求項１又は２に記載のパンツ型使い捨ておむつ。
【請求項４】
前記胴周り伸縮弾性部材の全本数に占める前記不連続伸縮弾性部材の本数の割合が５０〜８５％であることを特徴とする請求項１〜３のいずれか１項に記載のパンツ型使い捨ておむつ。
【請求項５】
前記各連続伸縮弾性部材間に前記不連続伸縮弾性部材が１本〜４本配置されていることを特徴とする請求項１〜４のいずれか１項に記載のパンツ型使い捨ておむつ。
【請求項６】
前記不連続伸縮弾性部材の伸張率が前記連続伸縮弾性部材の伸張率よりも大きいことを特徴とする請求項１〜５のいずれか１項に記載のパンツ型使い捨ておむつ。
【発明の詳細な説明】
【技術分野】
【０００１】
本発明は、パンツ型使いすておむつに関するものである。さらに詳しくは、本発明は、製品の見栄えが良く、体形の異なる着用者に対してもおむつの胴周り部が着用者の胴周りに良好にフィットし、かつ漏れ防止効果を改善したパンツ型使い捨ておむつに関するものである。
【背景技術】
【０００２】
使い捨ておむつは、その用途に応じて好適に使用できるように展開型、パンツ型等、様々な形態のものが提案されており、乳幼児を始めとして成人失禁者まで広く使用されている。
【０００３】
パンツ型使い捨ておむつは、一般に、前身頃から股下部を経て後身頃に至る内部領域に配置した吸収体を有し、前身頃と後身頃の相対する長手方向両側縁部を接合して形成しているウエスト周り開口部と一対の脚周り開口部とを有しており、ウエスト周り開口部に沿ってウエスト周り伸縮弾性部材を配置し、脚周り開口部に沿って脚周り伸縮弾性部材を配置している。
【０００４】
このようなパンツ型使い捨ておむつは、製品が予め一定の大きさのパンツ型に形成しており、着用者毎にその身体に合うように大きさを変更することができないため、全ての着用者にフィットするものではなく、着用者の体形によって大き過ぎたり小さ過ぎたりする不具合を生じている。特に、おむつが大き過ぎる場合には、おむつの胴周り部において着用者に対するフィット性が悪くなり、装着中におむつがずり落ちて、排泄物が漏れ出すという問題を生じることがあった。
【０００５】
上記の問題点を改善するために、胴周り部において、おむつの幅方向に沿って複数本の伸縮弾性部材を配置しておむつを着用者の胴周りにフィットさせ、ずり落ちを防止したパンツ型使い捨ておむつが開示されている（特許文献１、特許文献２）。
しかしながら、このようなパンツ型使い捨ておむつは、体形の異なる着用者に対して常に胴周りのフィット性を良くするためには、胴周り部に配置する伸縮弾性部材の本数を多くしたり、あるいは伸縮弾性部材の伸縮力を大きくする必要があり、その結果、胴周り部において、吸収体が収縮して型崩れを起こし、おむつを着用した場合の肌触りが悪くなると共に排泄物の漏れを生じ、さらに、製品の見栄えも悪くなり、品質イメージが低下するという問題を有していた。
【０００６】
このような問題を改善するために、パンツ型使い捨ておむつの胴周り部において、吸収体が存在する部分に伸縮弾性部材が存在しないように伸縮弾性部材を不連続の状態で配置したものが提案されている（特許文献３、特許文献４、特許文献５）。
【特許文献１】特開平４−１６６１５０号公報
【特許文献２】特開平８−１１２３０８号公報
【特許文献３】特開２０００−１２６２３１号公報
【特許文献４】特開２００２−１７８４２８号公報
【特許文献５】特開２００２−２７３８０８号公報
【発明の開示】
【発明が解決しようとする課題】
【０００７】
しかしながら、パンツ型使い捨ておむつの胴周り部において、吸収体が存在する部分に伸縮弾性部材が存在しないように伸縮弾性部材を不連続の状態で配置した場合には、吸収体に作用する伸縮力が弱く、着用者の姿勢によっては吸収体を着用者の身体に十分に密着させることができなくなり（例えば仰向けに寝ている場合には、前身頃側の吸収体が着用者に密着しなくなり）、吸収体が排泄物を吸収できないため、漏れを生じてしまう。さらに、動きの激しい幼児の場合、着用中におむつがずり落ちてしまい、漏れを生じてしまう。
【０００８】
本発明は、上記従来のパンツ型使い捨ておむつの有する問題点を克服し、いかなる体形の着用者に対しても胴周り部が良好にフィットして優れた着用感を有し、漏れ防止効果の優れた、製品の見栄えの良いパンツ型使い捨ておむつを提供するものである。
【課題を解決するための手段】
【０００９】
上記従来のパンツ型使い捨ておむつの有する問題点を解決するための本発明は、以下の各発明を基礎とする発明である。
【００１０】
（１）前身頃から股下部を経て後身頃に至る内部領域に吸収体を配置し、前身頃と後身頃の相対する長手方向両側縁部を接合してウエスト周り開口部と一対の脚周り開口部を形成し、ウエスト周り開口部に沿ってウエスト周り伸縮弾性部材を配置し、脚周り開口部に沿って脚周り伸縮弾性部材を配置し、さらに前記ウエスト周り開口部と脚周り開口部の間の胴周り部に、おむつの幅方向に沿って複数本の胴周り伸縮弾性部材を配置したパンツ型使い捨ておむつにおいて、
前記胴周り伸縮弾性部材は、おむつの幅方向にその全域に亙って連続して伸張状態で配置した連続伸縮弾性部材と、おむつの幅方向にその中央領域を除く両側縁側の領域に伸張状態で配置した不連続伸縮弾性部材とからなり、かつ、互いに隣接する連続伸縮弾性部材の間には少なくとも１本の前記不連続伸縮弾性部材を配置していることを特徴とするパンツ型使い捨ておむつ。
【００１１】
（２）前記不連続伸縮弾性部材が前記吸収体と重ならないように配置されていることを特徴とする（１）記載のパンツ型使い捨ておむつ。
【００１２】
（３）前記胴周り伸縮弾性部材が３〜２０ｍｍの間隔で配置されていることを特徴とする（１）又は（２）に記載のパンツ型使い捨ておむつ。
【００１３】
（４）前記胴周り伸縮弾性部材の全本数に占める前記不連続伸縮弾性部材の本数の割合が５０〜８５％であることを特徴とする（１）〜（３）のいずれか１項に記載のパンツ型使い捨ておむつ。
【００１４】
（５）前記各連続伸縮弾性部材間に前記不連続伸縮弾性部材が１本〜４本配置されていることを特徴とする（１）〜（４）のいずれか１項に記載のパンツ型使い捨ておむつ。
【００１５】
（６）前記不連続伸縮弾性部材の伸張率が前記連続伸縮弾性部材の伸張率よりも大きいことを特徴とする（１）〜（５）のいずれか１項に記載のパンツ型使い捨ておむつ。
【発明の効果】
【００１６】
本発明のパンツ型使い捨ておむつは、胴周り部に配置する胴周り伸縮弾性部材が、連続伸縮弾性部材と不連続伸縮弾性部材とからなり、かつ、互いに隣接する２本の連続伸縮弾性部材の間には少なくとも１本の不連続伸縮弾性部材が配置されている。
このような構成を有する本発明のパンツ型使い捨ておむつは、胴周り部に適度の伸縮力が得られるため、胴周り部において吸収体が収縮して型崩れを生じることがなく、いかなる体形の着用者に対しても胴周り部が良好にフィットして着用感に優れるとともに、漏れ防止効果に優れ、さらに製品の見栄えが良く高品質のイメージを付与できるものである。
【００１７】
本発明の場合、不連続伸縮弾性部材を吸収体と重ならないように配置し、胴周り伸縮弾性部材を３〜２０ｍｍの間隔で配置し、不連続伸縮弾性部材を５０〜８５％の割合で配置し、さらに、不連続伸縮弾性部材の伸張率が連続伸縮弾性部材の伸張率よりも大きくすることが好ましい。
このように胴周り伸縮弾性部材を配置することにより、上記の本発明の効果をより高めることができる。
【発明を実施するための最良の形態】
【００１８】
以下、図面を参照して、本発明のパンツ型使い捨ておむつを詳細に説明するが、勿論、本発明はこれらによって何等限定されるものではない。
【００１９】
図１は、本発明のパンツ型使い捨ておむつを示す斜視図である。図１において、パンツ型使い捨ておむつ１は、パンツを形成する外装部材１５の内側に排泄物を吸収、保持する吸収性本体１４を配置し、外装部材１５の前身頃２と後身頃３を股下部４で折り畳んで重ね合わせ、前身頃２と後身頃３の相対する長手方向両側縁部を接合部５で接合してウエスト周り開口部６と一対の脚周り開口部７を形成し、ウエスト周り開口部６に沿ってウエスト周り伸縮弾性部材８を配置し、脚周り開口部７に沿って脚周り伸縮弾性部材９を配置し、さらにウエスト周り開口部６と脚周り開口部７の間の胴周り部１０に、おむつの幅方向に沿って複数本の胴周り伸縮弾性部材１１を所定間隔で配置している。
【００２０】
図２は、図１に示すパンツ型使い捨ておむつを展開した状態を示す平面図であり、図３は、図２のＡ-Ａ線に沿う断面図である。
図２に示されるように、吸収性本体１４は、外装部材１５の前身頃２から股下部４を経て後身頃３に至る幅方向中央領域に配置されている。この吸収性本体１４は、図３に示されるように、液透過性のトップシート１４ａと液不透過性のバックシート１４ｂとの間に吸収体１４ｃを配置した構造となっている。
トップシート１４ａとしては、ポリエチレン、ポリプロピレン、ポリエチレンテレフタレート、その他の熱可塑性樹脂を原料とした合成繊維等からなる不織布に親水化処理を施したものが用いられる。
バックシート１４ｂとしては、微孔を設けたポリエチレンシート、あるいは熱可塑性樹脂にフィラーを加えて延伸したシートのような透湿性のある液体不透過性のシートが用いられる。このようなシートを用いると、ムレが改善されるため快適な着用感が得られる。
吸収体１４ｃとしては、綿状パルプと高吸収性ポリマーとを併用したもの、さらに熱融着繊維を加えたもの等を使用することができる。吸収体１４ｃは、その全体がティッシュペーパー等の親水性シート１４ｄで包まれている。その他、親水性シートの片面に高吸収性ポリマーの層を設けたもの、２枚の親水性シートの間に高吸収性ポリマーを挟持したもの等のシート状の吸収体１４ｃも使用することができる。
【００２１】
吸収性本体１４の幅方向両側には、立体ギャザー１４ｅが設けられているとともに、立体ギャザー１４ｅの起立部付近に伸縮材１４ｆが設けられ、立体ギャザー１４ｅ及び伸縮材１４ｆによって着用者の排泄した尿の横漏れを防止できるようになっている。
【００２２】
外装部材１５は、内層不織布１５ａと外層不織布１５ｂとの２層構造となっており、内層不織布１５ａに吸収性本体１４が接合されているとともに、内層不織布１５ａと外層不織布１５ｂとの間にウエスト周り伸縮弾性部材８、脚周り伸縮弾性部材９及び胴周り伸縮弾性部材１１が配置されている。内層不織布１５ａ及び外層不織布１５ｂとしては、ポリエチレン、ポリプロピレン、ポリエチレンテレフタレート、その他の熱可塑性樹脂を原料とした合成繊維からなる不織布を用いることができる。
【００２３】
ウエスト周り伸縮弾性部材８、脚周り伸縮弾性部材９、胴周り伸縮弾性部材１１としては、天然系、合成系の糸ゴム、平ゴム等の弾性部材を使用することができ、内層不織布１５ａと外層不織布１５ｂとの間に伸張状態でホットメルト接着剤などにより接着固定されている。
【００２４】
胴周り伸縮弾性部材１１の配置間隔は、３〜２０ｍｍ間隔の範囲で調節されることが好ましい。胴周り伸縮弾性部材１１の間隔が３ｍｍ未満であると、胴周り部１０における胴周り伸縮弾性部材１１の密度が高くなり、胴周り部１０に加わる伸縮力が大きくなるため、吸収体１４ｃが収縮し、型崩れを生じ易くなる。一方、胴周り伸縮弾性部材１１の間隔が２０ｍｍを超えると、おむつ着用者への胴周り部１０のフィット性が悪くなり、おむつがずり落ち易くなる。
胴周り伸縮弾性部材１１は、おむつ１の幅方向全域に亙って伸張状態で連続して配置されている連続伸縮弾性部材１２と、おむつ１の幅方向中央領域を挟む両側縁側領域に対称に伸張状態で配置されている不連続伸縮弾性部材１３とからなり、互いに隣接する２本の連続伸縮弾性部材１２，１２の間には２本の不連続伸縮弾性部材１３が位置するように規則的に配置されている。
胴周り伸縮弾性部材１１は、胴周り伸縮弾性部材１１の全本数に占める不連続伸縮弾性部材１３の本数の割合が、５０〜８５％であることが好ましい。不連続伸縮弾性部材１３の割合が５０％未満であると、胴周り部１０に加わる伸縮力が大きくなるため、吸収体１４が収縮し、型崩れを生じ易くなる。一方、不連続伸縮弾性部材１３の割合が８５％を超えると、おむつ着用者への胴周り部１０のフィット性が悪くなり、おむつがずり落ち易くなるためである。
【００２５】
不連続伸縮弾性部材１３は、幅方向中央領域に存在せず、幅方向中央領域を挟んで両側縁側の領域に幅方向に伸張状態で配置されている。詳しく説明すると、不連続伸縮弾性部材１３が吸収体１４ｃと重ならないように配置され、吸収体１４ｃがおむつの幅方向に収縮して皺を発生し、おむつ製品の外観を損ねるようなことがなく、かつ、おむつの胴周りにおいておむつ幅方向に適度の収縮力を与えることができるようになっている。
【００２６】
不連続伸縮弾性部材１３の伸張率は、連続伸縮弾性部材１２の伸張率よりも大であることが好ましい。例えば、連続伸縮弾性部材１２の伸張率を３００％とし、不連続伸縮弾性部材１３の伸張率を３５０％とすることにより、不連続伸縮弾性部材１３の伸張率を連続伸縮弾性部材１２の伸張率よりも大きく設定できる。不連続伸縮弾性部材１３をこのような伸縮率で配置することにより、おむつの胴周り部１０の側縁部側での伸縮力は大きくなるが、吸収体１４ｃを配置した部分に必要以上に伸縮力が加わらず、おむつ着用者への胴周り部１０のフィット性が良好となり、また、製品の見栄えが良くなり高品質のイメージを付与できる。
【００２７】
上記構成によれば、連続伸縮弾性部材１２と不連続伸縮弾性部材１３とにより、胴周り部１０において適度の伸縮力が得られるため、吸収体１４ｃが収縮して型崩れを生じることがなく、しかも体形の異なる着用者であっても胴周り部１０が良好にフィットして着用感に優れるとともに漏れ防止効果に優れ、さらに製品の見栄えが良く高品質のイメージを付与できる。
【００２８】
図４は、他の実施の形態を示しており、図２に対応した平面図である。図４において、図２と同じ部位には同一の符号が付してあり、重複する説明は省略する。
本実施の形態では、不連続伸縮弾性部材１３は、胴周り部１０において吸収性本体１４が存在する領域にのみ配置されている。すなわち、不連続伸縮弾性部材１３は、吸収性１４ｃを挟んでおむつの両側縁側の領域にのみおむつ幅方向に沿って伸張状態で規則的に等間隔で配置されている。
【００２９】
なお、上記実施の形態では、胴周り伸縮弾性部材１１を構成する連続伸縮弾性部材１２と不連続伸縮弾性部材１３とを規則的に配置した例を示したが、本発明では、２本の連続伸縮弾性部材の間に少なくとも１本の不連続伸縮弾性部材が配置されていれば良く、必ずしも両伸縮弾性部材１２、１３を規則的に等間隔で配置する必要はない。  
【００３０】
図５は、胴周り部１０にその全体に亘って連続伸縮弾性部材１２のみを配置した、従来のパンツ型使い捨ておむつを示す展開模式図である。
図６は、胴周り部１０において、吸収体１４ｃが存在する領域に不連続の状態の伸縮弾性部材１３のみを配置した、従来のパンツ型使い捨ておむつを示す展開模式図である。
【実施例】
【００３１】
本発明に係るパンツ型使い捨ておむつ用外装部材１５として、展開状態が図４に示されるような形状を有し、展開状態における前後身頃の両側縁部間の長さ（最大幅）が３８０ｍｍで、長さが５２０ｍｍである積層不織布製の外装部材１５の前身頃２側の胴周り部１０に、吸収体１４ｃ（図３参照）を幅方向に跨いで連続伸縮弾性部材１２を幅方向全長に亙って伸張状態で配置し、互いに隣接する２本の連続伸縮弾性部材１２，１２の間には、吸収体１４ｃが配置される領域を除く外装部材１５の両側縁側領域にのみ不連続伸縮弾性部材１３，１３を伸張状態で固定配置したパンツ型使い捨ておむつ用外装部材を作製した。
【００３２】
なお、胴回り伸縮弾性部材１１としては、６２０ｄｔｅｘのウレタンゴムを使用し、連続伸縮弾性部材１２は、伸張率３００％で外装部材１５に伸張配置して固定し、他方、不連続伸縮弾性部材１３は、連続伸縮弾性部材１２の間に、胴周り部１０の全幅にわたって伸張率３５０％で伸張配置して固定し、吸収体１４ｃが積層される部位を除いて外装部材１５に固定した後、吸収体１４ｃと重なる部位において弾性部材を切断して該部位の伸縮弾性部材を両側縁方向に収縮させ、結果として吸収体１５と重なる外装部材の部位には、伸縮弾性部材が存在していない状態に不連続伸縮弾性部材１３を配置した。
【００３３】
外装部材１５の幅方向中央領域に、吸収性本体１４を図３に示すように積層配置して固定し、さらに、前身頃２と後身頃３の対向する両側縁部同士をヒートシールすることによってパンツ型使い捨ておむつ（図１参照）を作製した。
【００３４】
第１のパンツ型使い捨ておむつ（Ａ）では、前身頃側及び後身頃側において、連続伸縮弾性部材１２と不連続伸縮弾性部材１３を交互に５本ずつ配置した。
第２のパンツ型使い捨ておむつＢでは、前身頃側及び後身頃側において、連続伸縮弾性部材１２を３本ずつ配置し、各連続弾性部材１２間に２本ずつの不連続伸縮弾性部１３を合計６本ずつ配置した。
第３のパンツ型使い捨ておむつＣでは、前身頃側及び後身頃側において、連続伸縮弾性部材１２を２本ずつ配置し、２本の連続伸縮弾性部材の間に各３本ずつの不連続伸縮弾性部材１３を合計９本ずつ配置した。
第４のパンツ型使い捨ておむつＤでは、図５の従来型として、連続伸縮弾性部材１２のみを１０本ずつ配置した。
第５のパンツ型使い捨ておむつＥでは、図６の従来型として、不連続伸縮弾性部材１３のみを１０本ずつ配置した。
【００３５】
上記Ａ〜Ｅのパンツ型使い捨ておむつを各々１０個ずつ作製し、それぞれを透明な材料で形成されているＬサイズの人形に装着し、前身頃側及び後身頃側のウエスト開口端部より８ｃｍ下方の胴周り部１０を６４ｍｍ幅のクリップで摘み、クリップにばね秤のフックを掛けて胴周り１０が人形面から離れる方向へ引っ張り、ウエスト開口端部より８ｃｍ下方の胴周り部１０が人形面から離れるときの引っ張り力（ｇ）をそれぞれ測定して１０個の平均値を算出した。結果を表１に示す。
【００３６】
【表１】
2008253583.tif 000003
【００３７】
上記Ａ〜Ｅの各試験用パンツ型使い捨ておむつを１０人のパネラーに装着してもらい、胴周り部１０の締め付け感と、ずり落ち性を評価した結果、試験体Ａ〜Ｃは、試験体Ｄ及びＥと比較して胴周り部１０の締め付け感が適度であり、動作時のずり落ちも少ないことが確認された。
【産業上の利用可能性】
【００３８】
本発明のパンツ型使い捨ておむつは、胴周り部に配置される胴周り伸縮弾性部材が、連続伸縮弾性部材と不連続伸縮弾性部材とからなり、かつ、２本の連続伸縮弾性部材の間に少なくとも１本の不連続伸縮弾性部材が配置されて形成されている。
このような構成を有する本発明のパンツ型使い捨ておむつは、胴周り部に適度の伸縮力が得られるため、吸収体が収縮して型崩れを生じることがなく、いかなる体形の着用者に対しても胴周り部に良好にフィットすると共に着用感に優れ、漏れ防止効果に優れ、さらに製品の見栄えが良く高品質のイメージを付与できるものであり、乳幼児を始めとして成人失禁者用のパンツ型使い捨ておむつとして有用である。
【図面の簡単な説明】
【００３９】
【図１】本発明に係るパンツ型使い捨ておむつの斜視図である。
【図２】図１に示すパンツ型使い捨ておむつを展開した状態を示す平面図である。
【図３】図２のＡ-Ａ線に沿う断面図である。
【図４】図１に示すパンツ型使い捨ておむつを展開した状態を示す、図２とは異なる例を示す平面図である。
【図５】従来のパンツ型使い捨ておむつを示す展開模式図である。
【図６】従来のパンツ型使い捨ておむつの他の例を示す展開模式図である。
【符号の説明】
【００４０】
１：パンツ型使い捨ておむつ
２：前身頃
３：後身頃
４：股下部
５：接合部
６：ウエスト周り開口部
７：脚周り開口部
８：ウエスト周り伸縮弾性部材
９：脚周り伸縮弾性部材
１０：胴周り部
１１：胴周り伸縮弾性部材
１２：連続伸縮弾性部材
１３：不連続伸縮弾性部材
１４：吸収体
１５：外装部材
【図１】
2008253583.tif 000004
【図２】
2008253583.tif 000005
【図３】
2008253583.tif 000006
【図４】
2008253583.tif 000007
【図５】
2008253583.tif 000008
【図６】
2008253583.tif 000009